(57)【特許請求の範囲】
【請求項１】
撮影部を備え、動画を撮影できるカメラ機能付き機器において、
表示部と、
音声を出力するための音声出力部と、
操作入力部と、
前記動画の録画が開始された後の所定のタイミングで、前記音声出力部による警報音の出力を中止するための所定の操作を促す通知を行うよう前記表示部を制御する通知制御部と、
前記通知に応じる前記所定の操作が前記操作入力部を介して入力されない場合、前記警報音を出力するよう前記音声出力部を制御する警報制御部と、を備える、
ことを特徴とするカメラ機能付き機器。
【請求項２】
請求項１に記載のカメラ機能付き機器において、
前記警報制御部は、前記警報を継続している間に、前記所定の操作が前記操作入力部を介して入力されると、前記警報を中止するよう前記音声出力部を制御する、
ことを特徴とするカメラ機能付き機器。
【請求項３】
請求項１または２に記載のカメラ機能付き機器において、
前記通知制御部は、前記警報が中止された後の所定のタイミングで、前記音声出力部による警報音の出力を中止するための所定の操作を促す通知を再び行うよう前記表示部を制御し、
前記警報制御部は、再びなされた前記通知に応じる前記所定の操作が前記操作入力部を介して入力されない場合、前記警報音を出力するよう前記音声出力部を制御する、
ことを特徴とするカメラ機能付き機器。
【請求項４】
請求項１ないし３の何れか一項に記載のカメラ機能付き機器において、
前記録画が通常の前記撮影のために行われると判断される所定の条件を保持する記憶部をさらに備え、
前記通知制御部は、前記所定の条件が満たされると判定した場合、前記通知を中止するよう前記音声出力部を制御する、
ことを特徴とするカメラ機能付き機器。
【請求項５】
請求項４に記載のカメラ機能付き機器において、
前記警報制御部は、前記警報音の出力を行った後、前記所定の条件が満たされると判定した場合、前記警報を中止するよう前記音声出力部を制御する、
ことを特徴とするカメラ機能付き機器。
【請求項６】
請求項４または５に記載のカメラ機能付き機器において、
前記動画から人物の顔を検出する顔検出部をさらに備え、
前記所定の条件は、前記顔検出部により前記顔が検出されることを含む、
ことを特徴とするカメラ機能付き機器。
【請求項７】
請求項４ないし６の何れか一項に記載のカメラ機能付き機器において、
前記撮影部による撮影方向の鉛直方向における傾きを検出する傾き検出部をさらに備え、
前記所定の条件は、前記撮影方向が水平面から上方向に傾く傾き角が所定の閾値を越えることを含む、
ことを特徴とするカメラ機能付き機器。
【請求項８】
請求項１ないし７の何れか一項に記載のカメラ機能付き機器において、
前記表示部は、画面を表示可能な表示面を備え、
前記通知制御部は、前記動画を前記表示面に表示するとともに、前記所定の操作を促す画像を、前記表示面に表示された前記動画に重ねて表示する、
ことを特徴とするカメラ機能付き機器。
【請求項９】
請求項１ないし８の何れか一項に記載のカメラ機能付き機器において、
動画を記憶する動画記憶部に前記動画を録画する録画制御部をさらに備え、
前記録画制御部は、前記音声出力部からの前記警報音の出力の後、前記所定の操作が前記操作入力部を介して入力されない場合、前記録画を停止する、
ことを特徴とするカメラ機能付き機器。
【請求項１０】
撮影部と、
表示部と、
音声を出力するための音声出力部と、
操作入力部とを備え、
動画を撮影できるカメラ機能付き機器のコンピュータに、
前記動画の録画が開始された後の所定のタイミングで、前記音声出力部による警報音の出力を中止するための所定の操作を促す通知を前記表示部に行わせる機能と、
前記通知に応じる前記所定の操作が前記操作入力部を介して入力されない場合、前記警報音を前記音声出力部に出力させる機能と、を付与する、
ことを特徴とするプログラム。
【請求項１１】
撮影部と、
表示部と、
音声を出力するための音声出力部と、
操作入力部とを備え、
動画を撮影できるカメラ機能付き機器の盗撮防止方法であって、
前記動画の録画が開始された後の所定のタイミングで、前記音声出力部による警報音の出力を中止するための所定の操作を促す通知を前記表示部に行わせるステップと、
前記通知に応じる前記所定の操作が前記操作入力部を介して入力されない場合、前記警報音を前記音声出力部に出力させるステップと、を含む、
ことを特徴とする盗撮防止方法。
【発明の詳細な説明】
【技術分野】
【０００１】
本発明は、デジタルカメラ、デジタルビデオカメラ、携帯電話機、ＰＤＡ（PersonalDigital Assistant）、タブレットＰＣ（Tablet PC）等のカメラ機能付き機器、および当該カメラ機能付き機器に用いて好適なプログラムと盗撮防止方法に関するものである。
【背景技術】
【０００２】
携帯電話機、デジタルビデオカメラ等のカメラ機能付き機器では、従来より、盗撮の防止が課題となっている。このため、盗撮を防止するための機能を備えたカメラ機能付き機器が提案されている。
【０００３】
たとえば、ユーザのスイッチ操作等によりカメラ機能付き機器が撮影を開始できる状態になった際に、周囲の騒音レベルが所定の音量以上であると、警告音を鳴らして警報を行うカメラ機能付き機器が提案されている（特許文献１参照）。この構成によれば、警報により周囲にいる人の注意を引くことになるため、当該カメラ機能付き機器を用いた盗撮を防止できる。
【先行技術文献】
【特許文献】
【０００４】
【特許文献１】特開２００５−２６０８２３号公報
【発明の概要】
【発明が解決しようとする課題】
【０００５】
しかしながら、上記の盗撮防止機能では、盗撮を目的としない場合の撮影においても警報がなされることがある。本来適正である筈の撮影の最中に警告音が鳴ると、周囲に迷惑がかかるため、ユーザは、撮影を行いたかった場所での撮影を諦めざるを得ない場合がある。
【０００６】
このように本来適正である筈の撮影の際に警報が行われると、カメラ機能付き機器を用いた撮影の利便性が低下する。
【０００７】
そこで、本発明は、撮影の利便性を保ちつつ、盗撮行為を抑制できるカメラ機能付き機器、プログラムおよび盗撮防止方法を提供することを目的とする。
【課題を解決するための手段】
【０００８】
本発明の第１の態様は、撮影部を備え、動画を撮影できるカメラ機能付き機器に関する。本態様に係るカメラ機能付き機器は、表示部と、音声を出力するための音声出力部と、操作入力部と、前記動画の録画が開始された後の所定のタイミングで、前記音声出力部による警報音の出力を中止するための所定の操作を促す通知を行うよう前記表示部を制御する通知制御部と、前記通知に応じる前記所定の操作が前記操作入力部を介して入力されない場合、前記警報音を出力するよう前記音声出力部を制御する警報制御部と、を備える。
【０００９】
本態様に係るカメラ機能付き機器において、前記警報制御部は、前記警報を継続している間に、前記所定の操作が前記操作入力部を介して入力されると、前記警報を中止するよう前記音声出力部を制御し得る。
【００１０】
本態様に係るカメラ機能付き機器において、前記通知制御部は、前記警報が中止された後の所定のタイミングで、前記音声出力部による警報音の出力を中止するための所定の操
作を促す通知を再び行うよう前記表示部を制御し得る。この場合、前記警報制御部は、再びなされた前記通知に応じる前記所定の操作が前記操作入力部を介して入力されない場合、前記警報音を出力するよう前記音声出力部を制御する。
【００１１】
本態様に係るカメラ機能付き機器は、前記録画が通常の前記撮影のために行われると判断される所定の条件を保持する記憶部をさらに備え得る。この場合、前記通知制御部は、前記所定の条件が満たされると判定した場合、前記通知を中止するよう前記音声出力部を制御する。
【００１２】
本態様に係るカメラ機能付き機器において、前記警報制御部は、前記警報音の出力を行った後、前記所定の条件が満たされると判定した場合、前記警報を中止するよう前記音声出力部を制御し得る。
【００１３】
本態様に係るカメラ機能付き機器は、前記動画から人物の顔を検出する顔検出部をさらに備え得る。この場合、前記所定の条件は、前記顔検出部により前記顔が検出されることを含む。
【００１４】
本態様に係るカメラ機能付き機器は、前記撮影部による撮影方向の鉛直方向における傾きを検出する傾き検出部をさらに備え得る。この場合、前記所定の条件は、前記撮影方向が水平面から上方向に傾く傾き角が所定の閾値を越えることを含む。
【００１５】
本態様に係るカメラ機能付き機器において、前記表示部は、画面を表示可能な表示面を備え得る。この場合、前記通知制御部は、前記動画を前記表示面に表示するとともに、前記所定の操作を促す画像を、前記表示面に表示された前記動画に重ねて表示する。
【００１６】
本態様に係るカメラ機能付き機器は、動画を記憶する動画記憶部に前記動画を録画する録画制御部をさらに備え得る。この場合、前記録画制御部は、前記音声出力部からの前記警報音の出力の後、前記所定の操作が前記操作入力部を介して入力されない場合、前記録画を停止する。
【００１７】
本発明の第２の態様は、プログラムに関する。本態様に係るプログラムは、撮影部と、表示部と、音声を出力するための音声出力部と、操作入力部とを備え、動画を撮影できるカメラ機能付き機器のコンピュータに、前記動画の録画が開始された後の所定のタイミングで、前記音声出力部による警報音の出力を中止するための所定の操作を促す通知を前記表示部に行わせる機能と、前記通知に応じる前記所定の操作が前記操作入力部を介して入力されない場合、前記警報音を前記音声出力部に出力させる機能と、を付与する。
【００１８】
本発明の第３の態様は、撮影部と、表示部と、音声を出力するための音声出力部と、操作入力部とを備え、動画を撮影できるカメラ機能付き機器の盗撮防止方法に関する。本態様に係る盗撮防止方法は、前記動画の録画が開始された後の所定のタイミングで、前記音声出力部による警報音の出力を中止するための所定の操作を促す通知を前記表示部に行わせるステップと、前記通知に応じる前記所定の操作が前記操作入力部を介して入力されない場合、前記警報音を前記音声出力部に出力させるステップと、を含む。
【発明の効果】
【００１９】
本発明によれば、撮影の利便性を保ちつつ、盗撮行為を抑制できるカメラ機能付き機器、プログラムおよび盗撮防止方法を提供することができる。
【００２０】
本発明の効果ないし意義は、以下に示す実施の形態の説明により更に明らかとなろう。ただし、以下の実施の形態は、あくまでも、本発明を実施化する際の一つの例示であって
、本発明は、以下の実施の形態に記載されたものに何ら制限されるものではない。
【図面の簡単な説明】
【００２１】
【図１】実施の形態に係る、携帯電話機の外観構成を示す図である。
【図２】実施の形態に係る、携帯電話機の全体構成を示すブロック図である。
【図３】実施の形態に係る、撮影処理の手順を示すフローチャートである。
【図４】実施の形態に係る、通知・警報処理の手順を示すフローチャートである。
【図５】変更例１に係る、警報の開始前と開始後における、警報を中止するための操作を促す通知のための画面の表示例を示す図である。
【図６】変更例１に係る、撮影処理の手順を示すフローチャートである。
【図７】変更例１に係る、撮影方向と撮影方向の傾き角を説明するための図である。
【図８】変更例２に係る、通知・警報処理の手順を示すフローチャートである。
【図９】変更例２に係る、警報の開始前と開始後における、警報を中止するための操作を促す通知のための画面の表示例を示す図である。
【図１０】変更例３に係る、撮影処理の手順を示すフローチャートである。
【図１１】変更例４に係る、通知・警報処理の手順を示すフローチャートである。
【図１２】変更例５に係る、撮影処理の手順を示すフローチャートである。
【図１３】変更例５に係る、警報を中止するための操作を促す通知のための画面の表示例を示す図である。
【図１４】その他の変更例に係る、撮影処理と通知・警報処理の手順を示すフローチャートである。
【図１５】その他の変更例に係る、ハードキーが解除ボタンとして用いられる構成と、当該構成における警報を中止するための操作を促す通知のための画面の表示例とを示す図である。
【図１６】その他の変更例に係る、通知・警報処理の手順を示すフローチャートである。
【発明を実施するための形態】
【００２２】
以下、本発明の実施の形態について、図面を参照して説明する。
【００２３】
図１（ａ）、（ｂ）は、携帯電話機１の外観構成を示す図である。図１（ａ）、（ｂ）は、それぞれ、正面図および側面図である。
【００２４】
携帯電話機１は、長方形状を有する厚みが小さなキャビネット１０を有する。キャビネット１０の正面側には、タッチパネルが配されている。タッチパネルは、ディスプレイ１１と、ディスプレイ１１に重ねられるタッチセンサ１２とを備える。
【００２５】
ディスプレイ１１は、液晶ディスプレイであり、後述の液晶パネル１１ａと、液晶パネル１１ａの背面側に配されたパネルバックライト１１ｂと、を備えている（図２参照）。液晶パネル１１ａは、画像を表示するための表示面１１ｃを有し、表示面１１ｃが外部に現れる。パネルバックライト１１ｂは、液晶パネル１１ａを照明する。
【００２６】
なお、ディスプレイ１１は、液晶ディスプレイに限らず、有機ＥＬディスプレイ等、他の表示装置であってもよい。
【００２７】
タッチセンサ１２は、表示面１１ｃに対する入力位置を検出する。タッチセンサ１２は、表示面１１ｃの上に配されており、透明なカバーに覆われている。タッチセンサ１２は透明なシート状に形成されており、タッチセンサ１２を透して表示面１１ｃを見ることができる。
【００２８】
タッチセンサ１２は、静電容量式のタッチセンサであり、マトリクス状に配された第１透明電極と第２透明電極とを備えている。タッチセンサ１２は、第１および第２透明電極間の静電容量の変化を検出することによって、ユーザが触れた表示面１１ｃ上の位置を入力位置として検出し、この入力位置に応じた位置信号を後述のＣＰＵ１００へ出力する。なお、表示面１１ｃに触れるとは、実際には、上記カバーを触れることである。
【００２９】
ユーザは、自身の指またはペン等の接触部材によって表示面１１ｃを触れることにより、表示面１１ｃに対するタッチ、タップ、スライド、フリック等の各種の操作を行える。ここで、「タッチ」は、表示面１１ｃに指を接触させる操作である。「タップ」は、表示面１１ｃに指を接触させた後、リリース（離す）する操作である。「フリック」は、表示面１１ｃに指を接触させて弾く操作（指を接触させた後、所定速度で移動させて離す操作）である。「スライド」は、表示面１１ｃに指を接触させたまま所定距離移動させた後、タッチパネル上より指を離す操作である。
【００３０】
なお、タッチセンサ１２は、静電容量式のタッチセンサ１２に限らず、超音波式、感圧式、抵抗膜式、光検知式等の他のタッチセンサ１２であってもよい。
【００３１】
タッチパネルの下方（Ｙ軸の負方向）には、キー操作部１３が設けられている。キー操作部１３は、設定キー１３ａ、ホームキー１３ｂ、およびバックキー１３ｃから構成されている。設定キー１３ａは、主に各種設定を行う設定画面を表示面１１ｃに表示させるためのキーである。ホームキー１３ｂは、主にホーム画面を表示面１１ｃに表示させるためのキーである。バックキー１３ｃは、主に表示面１１ｃ上の画面の表示状態を１ステップ前の状態に戻すためのキーである。
【００３２】
キャビネット１０の正面側には、下部にマイクロホン（以下、「マイク」と言う。）１４が配されており、上部にスピーカ１５が配されている。ユーザは、スピーカ１５から出力される音声を聞き、マイク１４に対して音声を発することにより、通話できる。
【００３３】
また、キャビネット１０の背面側には、周囲にいる人が聞き取れる程度の音量の音声を出力するスピーカ１５ａが配されている。たとえば、スピーカ１５ａから、カメラモジュール１６（後述）による撮影が行われることを周囲へ通知するためのシャッター音等の音声が出力される。
【００３４】
キャビネット１０の背面側には、カメラモジュール１６が配されている。キャビネット１０の背面には、レンズ窓が配されており、撮影方向Ｖ（図１（ｂ）の矢印参照）、すなわちレンズ窓が向けられた方向にある被写体の像が、レンズ窓からカメラモジュール１６に取り込まれる。
【００３５】
カメラモジュール１６は、レンズ窓から入射した光の像を撮像するＣＣＤ、ＣＭＯＳセンサ等の撮像素子を有する。カメラモジュール１６は、撮像素子から出力された撮像信号をデジタル化し、そのデジタル信号にガンマ補正等の各種補正を施して、後述の映像エンコーダへ出力する。
【００３６】
図２は、携帯電話機１の全体構成を示すブロック図である。携帯電話機１は、上述の構成要素の他、ＣＰＵ１００、メモリ１０１、画像処理回路１０２、キー入力回路１０３、音声エンコーダ１０４、音声デコーダ１０５、映像エンコーダ１０６、通信モジュール１０７、加速度センサ１０８、タイマ１０９を備える。
【００３７】
画像処理回路１０２は、ＣＰＵ１００から入力された制御信号に従って、ディスプレイ１１に表示される画像を生成し、生成した画像のデータを画像処理回路１０２に備えられ
ているＶＲＡＭ１０２ａに記憶させる。
【００３８】
画像処理回路１０２は、ＶＲＡＭ１０２ａに記憶された画像データを含む画像信号を、ディスプレイ１１へ出力する。また、画像処理回路１０２は、ディスプレイ１１を制御するための制御信号を出力し、ディスプレイ１１のパネルバックライト１１ｂを点灯または消灯させる。パネルバックライト１１ｂから放出された光が、画像信号に基づいて液晶パネル１１ａにより変調されることにより、ディスプレイ１１の表示面１１ｃに画像が表示される。
【００３９】
キー入力回路１０３は、キー操作部１３を構成する各キー１３ａ〜１３ｃの押下に応じた信号をＣＰＵ１００へ出力する。
【００４０】
音声エンコーダ１０４は、集音した音声に応じてマイク１４が生成した電気信号をデジタル音声信号に変換し、ＣＰＵ１００へ出力する。
【００４１】
音声デコーダ１０５は、ＣＰＵ１００からのデジタル音声信号にデコード処理およびＤ／Ａ変換を施し、変換した電気信号をスピーカ１５、１５ａに出力する。
【００４２】
映像エンコーダ１０６は、カメラモジュール１６からの信号にエンコード処理を施してＣＰＵ１００へ出力する。
【００４３】
通信モジュール１０７は、通話や通信のための電波を送受信するアンテナを備える。通信モジュール１０７は、ＣＰＵ１００から入力される通話や通信のための信号を無線信号に変換し、変換された無線信号を、アンテナを介して、基地局や他の通信装置等の通信先へ送信する。また、通信モジュール１０７は、アンテナを介して受信した無線信号をＣＰＵ１００が利用できる形式の信号へ変換し、変換された信号をＣＰＵ１００へ出力する。
【００４４】
加速度センサ１０８は、携帯電話機１に係る加速度を検出する。加速度センサ１０８は３軸加速度センサであり、図１（ａ）、（ｂ）に示されるＸ軸方向、Ｙ軸方向およびＺ軸方向の３方向に生じる加速度を検出する。加速度センサ１０８は、検出した加速度に応じた加速度信号をＣＰＵ１００へ出力する。
【００４５】
携帯電話機１が静止状態にあるときには、携帯電話機１に加わる重力加速度が加速度センサ１０８により検出される。ＣＰＵ１００は、重力加速度に基づき、上述の撮影方向Ｖを検出する。
【００４６】
メモリ１０１は、ＲＯＭおよびＲＡＭを含む。メモリ１０１には、ＣＰＵ１００に制御機能を付与するための制御プログラムと、各種のアプリケーション・プログラム（以下、「アプリケーション」と言う。）が記憶されている。たとえば、メモリ１０１には、通話、静止画像の撮影、動画の撮影等、各種のアプリケーションが記憶されている。
【００４７】
また、メモリ１０１は、アプリケーションの実行の際、一時的に利用または生成される各種のデータを記憶するワーキングメモリとしても使用される。
【００４８】
また、メモリ１０１には、ＣＰＵ１００が動画の撮影のためのアプリケーション（カメラ機能）を実行することより、カメラモジュール１６により撮影される動画が録画される。すなわち、撮影された動画のデータが、所定のファイル形式で、メモリ１０１の所定の領域に記憶される。なお、動画の撮影のためのアプリケーションは、動画のデータを、外部の記憶媒体（ＳＤカード等）や、有線または無線の通信網を介して接続される記憶装置等、メモリ１０１以外の記憶部に記憶できるよう構成されてもよい。
【００４９】
ＣＰＵ１００は、制御プログラムに従って、カメラモジュール１６、マイク１４、通信モジュール１０７、ディスプレイ１１、スピーカ１５、１５ａ等、各構成要素を制御することにより、各種のアプリケーションを実行する。
【００５０】
さて、本携帯電話機１は、動画の撮影の際、撮影が行われていることを周囲に知らせる警報を行う機能を備える。ここで、携帯電話機１は、警報に先立ち当該警報が行われることを中止するための操作を促す通知を行うとともに、ユーザが通知に応じて操作を行わない場合には警報を行うよう構成されている。以下に、通知と警報に係る処理について説明する。
【００５１】
図３は、本実施の形態に係る撮影処理の手順を示すフローチャートである。撮影処理は、動画の撮影のためのアプリケーションを起動する操作に応じて開始される。
【００５２】
撮影処理が開始されると、ＣＰＵ１００は、まず、カメラモジュール１６を起動する（Ｓ１０１）。以後、アプリケーション（カメラ機能）を終了する操作がなされるまでの間（Ｓ１０２：ＮＯ）、ＣＰＵ１００は、カメラモジュール１６より取得された動画を表示面１１ｃに表示する。なお、当該アプリケーションを終了する操作がなされた場合には（Ｓ１０２：ＹＥＳ）、ＣＰＵ１００は、カメラモジュール１６を停止した後（Ｓ１０３）、撮影処理を終了する。
【００５３】
撮影処理の実行中、ＣＰＵ１００は、録画を開始する操作に応じて（Ｓ１０４：ＹＥＳ）、動画の録画を開始する（Ｓ１０５）。
【００５４】
次に、ＣＰＵ１００は、タイマ１０９を用いて、時間ｔ１を０秒から計り始める（Ｓ１０６）。そして、ＣＰＵ１００は、時間ｔ１が所定の閾値Ｔ１以下（ｔ１≦Ｔ１）であるか否かを判定する（Ｓ１０７）。録画を終了するための操作がなされるまでの間（Ｓ１０８：ＮＯ）、ステップＳ１０７の判定処理が繰り返し実行される。
【００５５】
ここで、上記の所定の閾値Ｔ１は、上述の通知と警報のための通知・警報処理（Ｓ１１０）が実行される時間間隔を定める値である。すなわち、通知・警報処理（Ｓ１１０）が終了した場合、そのＴ１秒後に通知・警報処理が再び実行される。閾値Ｔ１は、たとえば、数秒〜数十秒程度に設定される。閾値Ｔ１が小さく設定される場合には、通知が頻繁になされるため盗撮防止の効果を高めることができる。また、閾値Ｔ１が大きく設定される場合には、通知が頻繁になされることがなく撮影の利便性を良好に保つことができる。
【００５６】
ｔ１≦Ｔ１である間に録画を終了するための操作がなされた場合（Ｓ１０７：ＹＥＳ→Ｓ１０８：ＹＥＳ）、ＣＰＵ１００は、録画を終了するとともに（Ｓ１０９）、ステップＳ１０２の処理へ戻る。
【００５７】
さて、録画が継続されたまま（Ｓ１０８：ＮＯ）、時間ｔ１が閾値Ｔ１を超えた場合（Ｓ１０７：ＮＯ）、ＣＰＵ１００は、通知・警報処理（Ｓ１１０）を実行する。なお、ステップＳ１０５において開始された録画は、通知・警報処理の実行中も継続する。
【００５８】
図４は、通知・警報処理（Ｓ１１０）の手順を示すフローチャートである。図５（ａ）は、警報が開始される前に、警報を中止するための操作を促す通知が行われている画面の表示例を示す図である。図５（ｂ）は、警報が開始された後に、警報を中止するための操作を促す通知が行われている画面の表示例を示す図である。
【００５９】
通知・警報処理が開始されると、ＣＰＵ１００は、まず、図５（ａ）に示す如く、解除
ボタン２０２の押下（タッチ）を促す通知を行う（Ｓ１１１）。ここで、解除ボタン２０２は、撮影が行われていることを周囲に知らせる警報を中止（解除）するための操作を入力するためのボタンである。ＣＰＵ１００は、ウィンドウ２０１を、表示面１１ｃに表示された動画に重ねて表示する。ウィンドウ２０１には、解除ボタン２０２と、警報の中止のため、解除ボタン２０２を押下するよう促す通知のためのテキスト２０３が表示される。
【００６０】
なお、図５（ａ）に示されるテキスト２０３中の文字「ＸＸ秒」は、後述の警報（Ｓ１１７）が開始されるまでの時間を示す。ウィンドウ２０１が表示されてから警報が開始されるまでの時間（Ｔ２）は、たとえば、数秒〜十数秒程度に設定される。
【００６１】
ここで、定数Ｔ２は、所定の閾値である。閾値Ｔ２が小さく設定される場合には、通知が頻繁になされるため盗撮防止の効果を高めることができる。また、閾値Ｔ２が大きく設定される場合には、通知が頻繁になされることがなく撮影の利便性を良好に保つことができる。
【００６２】
次に、ＣＰＵ１００は、タイマ１０９を用いて、時間ｔ２を０秒から計り始める（Ｓ１１２）。以後、ステップＳ１１５において時間ｔ２の計時が停止されるまで、ＣＰＵ１００は、時間ｔ２に応じて、テキスト２０３中の文字「ＸＸ秒」を、警報が開始されるまでの時間（すなわちＴ２−ｔ２秒）に更新する。
【００６３】
ＣＰＵ１００は、時間ｔ２が閾値Ｔ２以下であるか否かを判定する（Ｓ１１３）。当該判定処理（Ｓ１１３）は、解除ボタン２０２に対する押下が検出されない間（Ｓ１１４）、繰り返し実行される。
【００６４】
撮影者が、表示面１１ｃに表示された動画を見ながら撮影を行っている場合、表示面１１ｃにウィンドウ２０１による通知がなされれば、すぐに通知に気付く。よって、撮影者は、閾値Ｔ２が経過する前に解除ボタン２０２を押下する。
【００６５】
時間ｔ２が閾値Ｔ２以下である間に、タッチセンサ１２より解除ボタン２０２に対する押下が検出された場合（Ｓ１１３：ＹＥＳ→Ｓ１１４：ＹＥＳ）、ＣＰＵ１００は、時間ｔ２の計時を停止し（Ｓ１１５）、通知を中止する（Ｓ１１６）。通知の中止の際（Ｓ１１６）、ＣＰＵ１００は、ウィンドウ２０１の表示を解除する。ＣＰＵ１００は、ステップＳ１１６の処理の実行を完了して通知・警報処理を終了するとともに、図３に示されるステップＳ１０６の処理へ進む。これにより、この回の通知に基づく警報は中止される。
【００６６】
一方、撮影者が、表示面１１ｃに表示された動画を見ることなく撮影を行っている場合、ウィンドウ２０１の表示による通知がなされても、閾値Ｔ２が経過する前に解除ボタン２０２を押下することができない。
【００６７】
時間ｔ２が所定の閾値Ｔ２を超えた場合（Ｓ１１３：ＮＯ）、ＣＰＵ１００は、以下の通り警報を行う（Ｓ１１７〜Ｓ１１９）。
【００６８】
ＣＰＵ１００は、まず、携帯電話機１によって撮影が行われていることを周囲に知らせる、警報を開始する（Ｓ１１７）。具体的には、ＣＰＵ１００は、警報音をスピーカ１５ａより出力する（Ｓ１１７）。
【００６９】
上記警報音は、たとえば、アラーム音、音楽、音声（たとえば、「撮影が行われています。」）等の音声である。当該警報音は、周囲にいる人が聞こえる程度の音量で出力される。警報音の音量は、たとえばマイク１４により集音される周辺の音の音量に応じて、Ｃ
ＰＵ１００により適宜設定される構成を採られてもよい。また、携帯電話機１が発光部を備える場合、上記警報音に替えて、当該発光部からの光の出力により警報（フラッシュの点滅や、イルミネーション等）が行われてもよい。
【００７０】
また、ステップＳ１１７において、ＣＰＵ１００は、ウィンドウ２０１上に、図５（ｂ）に示す如くテキスト２０３を表示する。図５（ｂ）のテキスト２０３では、図５（ａ）に示されるテキスト２０３に表示されている文字「ＸＸ秒以内に、」が削除されている。
【００７１】
警報の開始の後、タッチセンサ１２より解除ボタン２０２に対する押下が検出されない間（Ｓ１１８：ＮＯ）、ＣＰＵ１００は、警報を継続する。
【００７２】
撮影者は、警報に気付くと、表示面１１ｃの通知を確認し、解除ボタン２０２を押下する。
【００７３】
タッチセンサ１２より解除ボタン２０２に対する押下が検出された場合（Ｓ１１８：ＹＥＳ）、ＣＰＵ１００は、警報を中止（停止）する。そして、ＣＰＵ１００は、上述のステップＳ１１５の処理へ進む。すなわち、ＣＰＵ１００は、ステップＳ１１５、Ｓ１１６を実行した後、図４に示される通知・警報処理を終了し、さらに図３のステップＳ１０６の処理へ進む。通知・警報処理Ｓ１１０の処理を終えてからＴ１秒の間に録画を終了する操作がなされない場合（Ｓ１０８：ＮＯ→Ｓ１０７：ＮＯ）、ＣＰＵ１００は再び通知・警報処理を実行する（Ｓ１１０）。
【００７４】
なお、図４に示される通知・警報処理の実行中、録画を終了するための操作がなされた場合、ＣＰＵ１００が、必要に応じて通知または警報を中止した後に、通知・警報処理を終了するとともに、図３のステップＳ１０９の処理（録画を終了）へ進む構成が採られてもよい。
【００７５】
また、通知・警報処理の実行中、動画の撮影のためのアプリケーションを終了するための操作がなされた場合、ＣＰＵ１００が、必要に応じて通知または警報を中止した後に、通知・警報処理の実行を終了するとともに、図３のステップＳ１０３の処理へ進む構成が採られてもよい。
【００７６】
以上、本実施の形態の構成によれば、携帯電話機１による動画の録画開始のＴ１秒後、ＣＰＵ１００は、表示面１１ｃに、撮影が行われていることを周囲に知らせる警報を中止するための解除ボタン２０２の押下を促す通知を行う。そして、通知の後に解除ボタン２０２に対する押下がタッチセンサ１２により検出されないまま時間Ｔ２秒が経過した場合、ＣＰＵ１００は警報を行う。盗撮を試みる者が通知の有無を常に監視することは容易ではないため、上記通知に応じて解除ボタン２０２を押下できず、警報が行われる。警報が周囲の注意を引くこととなるため、盗撮を試みる者は、携帯電話機１を用いて盗撮行為を行うことが困難となる。よって、本携帯電話機１を用いた盗撮行為が抑制される。
【００７７】
その一方で、ユーザが通常の撮影すなわち盗撮を目的としない動画の撮影を行う場合、当該ユーザは、表示面１１ｃの通知を見ることができ、通知に応じて解除ボタン２０２を押下できる。このため、通常の撮影を行うユーザは、警報を開始させることなく、また録画を停止させることなく、通常の撮影を行える。
【００７８】
よって、盗撮を目的としない撮影の利便性を保ちつつ、盗撮行為を抑制できる。
【００７９】
また、ＣＰＵ１００は、通知または警報が中止されてからＴ１秒後に、解除ボタン２０２の押下を促す通知を、再び行う。このため、撮影者は、通知の視認と警報の中止のため
の操作とが継続的に可能な状態で、撮影を行うことが必要となる。つまり、盗撮を試みる者が、たとえばカバン等にしのばせたままの状態の携帯電話機１を用いて盗撮を行うことが困難となる。よって、より効果的に盗撮行為を抑制できる。
【００８０】
また、通知・警報処理に基づき警報が行われた場合、通常の撮影を行うユーザは、表示面１１ｃに表示される通知を視認することにより、通知に応じて即座に警報を中止させることができる。しかしながら、たとえば、上述の如くカバン等にしのばせたままの状態の携帯電話機１を用いて盗撮が行われるときに警報が行われた場合、即座に警報を中止させることは難しい、よって、盗撮を目的としない撮影の利便性を保ちつつ、盗撮行為を抑制できる。
【００８１】
＜変更例１＞
図６は、変更例１に係る撮影処理の手順を示すフローチャートである。図６のフローチャートでは、図３に示されるフローチャートにおけるステップＳ１１０の通知・警報処理の前段に、ステップＳ１２１、Ｓ１２２の処理が挿入されている。
【００８２】
変更例１の撮影処理について説明する。変更例１では、ステップＳ１０７において、時間ｔ１が閾値Ｔ１を超えたと判定された場合（Ｓ１０７：ＮＯ）、ステップＳ１２１の処理が実行され、続いてステップＳ１２２の判定処理が実行される。
【００８３】
変更例１では、撮影方向Ｖの傾き角θに関する判定処理（Ｓ１２２）に基づいて、通知・警報処理（Ｓ１１０）の実行をキャンセルする構成が採られる。
【００８４】
図７（ａ）〜（ｃ）は、上述の撮影方向Ｖと、撮影方向Ｖの水平面（一点鎖線参照）に対する傾き角θについて説明するための図である。図７（ａ）、７（ｂ）および７（ｃ）は、それぞれ、傾き角θが１０°、４５°および９０°である状態における、携帯電話機１の側面図である。ここで、傾き角θは、水平面の方向を基準にして撮影方向Ｖが上方を向く角度を表し、−９０度から＋９０度の範囲の値を取り得る。θ＝０°は、撮影方向Ｖが水平方向を向くことを示す。撮影方向Ｖが上方向へ傾いているときにはθ＞０であり、θ＝＋９０°は撮影方向Ｖが真上に傾くことを示す。撮影方向Ｖが下方向へ傾いているときにはθ＜０であり、θ＝−９０°は撮影方向Ｖが真下に傾くことを示す。なお、撮影方向Ｖと傾き角θは、ジャイロセンサを用いて検出されてもよい。
【００８５】
図６に戻り、ＣＰＵ１００は、ステップＳ１２１において上記の傾き角θを検出する。そして、ＣＰＵ１００は、傾き角θが、所定の閾値θ１（たとえば３０°）以下、すなわちθ≦θ１であるか否かを判定する（Ｓ１２２）。
【００８６】
閾値θ１は、ユーザが通常の使用態様にて撮影を行う際における、想定される傾き角θの上限程度の値に設定される。閾値θ１は、たとえば１０°〜６０°程度の範囲内の値に設定できる。閾値θ１は、盗撮行為を抑制することを優先する場合には、小さく設定される。また、閾値θ１は、撮影の利便性を優先する場合には、大きく設定される。
【００８７】
携帯電話機１が、図７（ａ）に示される状態（θ＝１０°）にある場合、θ≦θ１（＝３０°）であるため、ステップＳ１２２においてＹＥＳと判定される。携帯電話機１が、図７（ｂ）または図７（ｃ）に示される状態（θ＝４５°または９０°）にある場合、θ＞θ１であるため、ステップＳ１２２においてＮＯと判定される。なお、撮影方向Ｖが下に傾く場合、すなわち傾き角θが負値（θ＜０）の場合、条件θ≦θ１が満たされるため、ステップＳ１２２においてＹＥＳと判定される。
【００８８】
ＣＰＵ１００は、傾き角θが閾値θ１以下である場合（Ｓ１２２：ＹＥＳ）、通知・警
報処理の実行を中止し、ステップＳ１０８の処理へ進む。すなわち、傾き角θが閾値θ１以下である場合（Ｓ１２２：ＹＥＳ）、通知が中止される。
【００８９】
一方、ＣＰＵ１００は、傾き角θが閾値θ１を超える場合（Ｓ１２２：ＮＯ）、通知・警報処理を実行する（Ｓ１１０）。本変更例における通知・警報処理は、上記実施の形態の通知・警報処理（図４）と同様の処理である。
【００９０】
以上、本変更例１の構成によれば、撮影方向Ｖの傾き角θが閾値θ１以下である場合、盗撮を目的としないような通常の撮影が行われているとして、通知・警報処理の実行が中止される。すなわち、現在行われている撮影は、盗撮が懸念されるような撮影ではないため警報の必要がないとして、通知と警報が中止される。
【００９１】
このように、盗撮を目的としないような、通常の撮影が行われていると判断される場合、ユーザは、通知に応じて解除ボタン２０２を押下することなく撮影を継続できる。よって、撮影の利便性が良好に保たれる。
【００９２】
その一方、撮影方向Ｖの傾き角θが閾値θ１を超えるような状態で撮影が行われている場合には、通常の撮影ではなく盗撮が懸念される状態で撮影が行われているとして、解除ボタン２０２の押下を促す通知がなされる。さらに、当該通知に応じた解除ボタン２０２の押下が検出されない場合には、警報が開始する。よって、通常の撮影の利便性を保ちつつ、盗撮行為が抑制される。
【００９３】
＜変更例２＞
図８は、変更例２に係る通知・警報処理の手順を示すフローチャートである。本変更例に係る通知・警報処理は、上記変更例１の撮影処理（図６）に基づき実行される。すなわち、本変更例に係る通知・警報処理（図８）は、撮影方向Ｖの傾き角θが所定の閾値θ１を超えることに基づき、図６に示されるステップＳ１１０の通知・警報処理に対応する処理として実行される。
【００９４】
図８のフローチャートは、図４のフローチャートに、ステップＳ１３１〜Ｓ１３４の処理が追加されたものである。ステップＳ１３１とＳ１３２の処理は、ステップＳ１１４においてＮＯと判定された後に実行される。ステップＳ１３３とＳ１３４の処理は、ステップＳ１１４においてＮＯと判定された後に実行される。
【００９５】
ステップＳ１３１とＳ１３３の処理は、変更例２に係る図６に示されるステップＳ１２１の処理と同様に、傾き角θを検出する処理である。ステップＳ１３２とＳ１３４の処理は、変更例２に係る図７に示されるステップＳ１２２の処理と同様に、傾き角θが、所定の閾値θ１以下、すなわちθ≦θ１であるか否かを判定する処理である。
【００９６】
図９（ａ）は、警報が開始される前に、警報を中止するための操作を促す通知が行われている画面の表示例を示す図である。ステップＳ１１１（図８）において、ＣＰＵ１００は、表示面１１ｃに、図９（ａ）に示す如く、解除ボタン２０２とテキスト２０３とを含むウィンドウ２０１を表示する。図９（ａ）に示されるテキスト２０３は、図５（ａ）に示されるテキスト２０３と略同様であるが、カメラの向き（撮影方向Ｖ）を変えるよう促すメッセージをさらに含む。
【００９７】
ステップＳ１１１の処理に基づく通知がなされた後、警報が開始される前（Ｓ１１３：ＹＥＳ）において、傾き角θがθ１以下となるよう携帯電話機１の向きが戻された場合（Ｓ１３２：ＹＥＳ）、ＣＰＵ１００は、警報を中止する。そして、ＣＰＵ１００は、時間ｔ２の計時を停止し（Ｓ１１５）、上記の通知を中止する（Ｓ１１６）。
【００９８】
ステップＳ１１１の処理に基づく通知がなされた後、携帯電話機１の向きが戻されない場合には（Ｓ１３２：ＮＯ）、時間ｔ２が所定の閾値Ｔ２を超えると（Ｓ１１３：ＮＯ）、警報が開始される（Ｓ１１７）。
【００９９】
図９（ｂ）は、警報が開始された後に、警報を中止するための操作を促す通知が行われている画面の表示例を示す図である。ステップＳ１１７において、ＣＰＵ１００は、警報を開始するとともに、ウィンドウ２０１上に表示されているテキスト２０３中の文字「ＸＸ秒以内に、」（図９（ａ）参照）を削除し、図９（ｂ）に示されるテキスト２０３を表示する。
【０１００】
ステップＳ１１７の処理に基づき警報が開始された後、タッチセンサ１２より解除ボタン２０２に対する押下が検出されない場合（Ｓ１１８：ＮＯ）、ＣＰＵ１００は、傾き角θを検出し（Ｓ１３３）、検出した傾き角θが閾値θ１であるか否かを判定する（Ｓ１３４）。傾き角θが閾値θ１以下となった場合（Ｓ１３４：ＹＥＳ）、ＣＰＵ１００は、ステップＳ１１８の処理へ戻らず、警報を中止し（Ｓ１１９）、さらにステップＳ１１５、Ｓ１１６の処理へ進む。
【０１０１】
すなわち、通知が開始された後、撮影方向Ｖが略水平（具体的にはθ≦θ１）となるよう携帯電話機１の向きが戻された場合（Ｓ１３４：ＹＥＳ）、ＣＰＵ１００は、警報を中止する。
【０１０２】
なお、ステップＳ１１７の処理に基づき警報が開始された後、携帯電話機１の向きが戻されない場合には（Ｓ１３４：ＮＯ）、ＣＰＵ１００は、警報を継続する。
【０１０３】
以上、本変更例の構成によれば、撮影方向Ｖの傾き角θが閾値θ１を超えることに基づき通知・警報処理が開始された後、ユーザは、傾き角θが閾値θ１以下となるように携帯電話機１の姿勢を変えることにより、通知および警報を中止させることができる。
【０１０４】
＜変更例３＞
上記変更例１では、通知・警報処理は、撮影方向Ｖの傾き角θが所定の閾値θ１を超えることに基づき実行される。変更例３では、通知・警報処理は、カメラモジュール１６より取得される動画から人物の顔が検出されないことに基づき実行される。
【０１０５】
図１０は、変更例３に係る撮影処理の手順を示すフローチャートである。図１０のフローチャートでは、図６のフローチャートにおけるステップＳ１２１、Ｓ１２２の処理が、ステップＳ１４１の判定処理に置き換えられている。ステップＳ１４１の判定処理は、具体的には、カメラモジュール１６から取得される動画から人物の顔が検出されるか否かを判定するための処理である。
【０１０６】
たとえば、携帯電話機１のレンズ窓が人物の顔へ向けられた状態で撮影が行われる場合、撮影された動画のフレーム画像は人物の顔の画像を含む。この場合、ＣＰＵ１００は、動画から人物の顔を検出し（Ｓ１４１：ＹＥＳ）、通常の撮影が行われるとして通知・警報処理の実行を中止し、ステップＳ１０８の処理へ進む。
【０１０７】
他方、撮影された動画が人物の顔の画像を含まない場合、ＣＰＵ１００は、このような動画から人物の顔を検出せず（Ｓ１４１：ＮＯ）、ステップＳ１１０の通知・警報処理（図４）へ進む。たとえば、ユーザが、人物を背後から撮影する場合、動画は人物の顔の画像を含まないため、ステップＳ１４１においてＮＯと判定される。
【０１０８】
このような顔の検出を判定するための処理（Ｓ１４１）は、たとえば、以下のようにして、実行される。
【０１０９】
ＣＰＵ１００は、動画のフレーム画像の中から主に肌色からなる領域を抽出し、さらに、抽出した領域上において、目、鼻、口、シワ等の顔の特徴部分を、当該フレーム画像の領域上における色、模様等の分布に基づいて検出する。ＣＰＵ１００は、動画ら、一定の確度で顔の特徴部分を検出した場合、当該動画から人物の顔の画像が検出されたと判定する（Ｓ１４１：ＹＥＳ）。ＣＰＵ１００は、動画から一定の確度で顔の特徴部分を検出しなかった場合、動画から人物の顔が検出されないと判定する（Ｓ１４１：ＮＯ）。
【０１１０】
たとえば、ユーザが、被写体の人物と向きあうようにして撮影を行う場合、動画から顔が検出される。このような場合には、被写体の人物は携帯電話機１により撮影が行われていることを認識している可能性が高く、盗撮の可能性が低いと考えられる。よって、通知・警報処理の実行が中止される。
【０１１１】
以上、本変更例３の構成によれば、撮影された動画から人物の顔が検出される場合、通常の撮影が行われているとして、通知・警報処理の実行が中止される。一方、撮影された動画から人物の顔が検出されないような状態で撮影が行われている場合には、通常の撮影ではなく盗撮が懸念される状態で撮影が行われているとして、解除ボタン２０２の押下を促す通知がなされるよう構成されている。よって、通常の撮影の利便性を保ちつつ、盗撮行為が抑制される。
【０１１２】
＜変更例４＞
上記変更例２では、なされた通知と警報は、撮影方向Ｖの傾き角θが所定の閾値θ１を超えることに基づき中止される。変更例４では、なされた通知と警報は、撮影された動画から人物の顔が検出されることに基づき中止される。
【０１１３】
図１１は、変更例４に係る通知・警報処理の手順を示すフローチャートである。本変更例に係る通知・警報処理は、上記変更例３の撮影処理（図１０）に基づき実行される。すなわち、本変更例に係る通知・警報処理は、カメラモジュール１６より取得される動画から人物の顔が検出されないことに基づき実行される。
【０１１４】
図１１のフローチャートでは、図８のフローチャートにおけるステップＳ１３１、Ｓ１３２の処理が、ステップＳ１５１の判定処理に置き換えられ、ステップＳ１３３、Ｓ１３４の処理が、ステップＳ１５２の判定処理に置き換えられている。各ステップＳ１５１、Ｓ１５２は、図１０のステップＳ１４１の判定処理に同じである。すなわち、ステップＳ１５１、Ｓ１５２の判定処理は、カメラモジュール１６より取得される動画から人物の顔が検出されるか否かを判定する処理である。
【０１１５】
ステップＳ１５１において、ＣＰＵ１００は、カメラモジュール１６より取得される動画から人物の顔が検出された場合には（Ｓ１５１：ＹＥＳ）、警報を行わずに、時間ｔ２の計時を停止し（Ｓ１１５）、警報を中止するための操作を促す通知を中止する（Ｓ１１６）。
【０１１６】
他方、カメラモジュール１６より取得される動画から人物の顔が検出されないまま（Ｓ１５１：ＮＯ）、時間ｔ２が所定の閾値Ｔ２を超えた場合（Ｓ１１３：ＮＯ）、警報が行われる（Ｓ１１７）。
【０１１７】
同様に、ステップＳ１５２において、ＣＰＵ１００は、動画から人物の顔が検出された場合には（Ｓ１５２：ＹＥＳ）、警報を中止すなわち停止し（Ｓ１１９）、ステップＳ１
１５、Ｓ１１６の処理を実行する。
【０１１８】
他方、カメラモジュール１６より取得される動画から人物の顔が検出されない場合（Ｓ１５２：ＮＯ）、ステップＳ１１７において開始された警報は継続する。
【０１１９】
以上、本変更例の構成によれば、通知・警報処理が開始された後、動画から人物の顔が検出された場合には、通常の撮影が行われているとして、通知および警報が中止される。
【０１２０】
＜変更例５＞
図１２は、変更例５に係る通知・警報処理の手順を示すフローチャートである。
【０１２１】
図１２のフローチャートは、図４のフローチャートに示されるステップＳ１１１の前段に、ステップＳ１６１の処理がさらに追加されたものである。
【０１２２】
ステップＳ１６１において、ＣＰＵ１００は、乱数、疑似乱数等に基づき、ウィンドウ２０１の表示位置を不規則に設定する。次のステップＳ１１１において、ＣＰＵ１００は、ウィンドウ２０１を表示面１１ｃにおける設定された表示位置に表示する。上記処理により、解除ボタン２０２は、通知・警報処理が実行される毎に、異なる位置に表示される。
【０１２３】
図１３（ａ）〜（ｃ）は、本変更例に係る通知・警報処理に基づいて、解除ボタン２０２の押下を促す通知を行うためのウィンドウ２０１の表示位置を示す図である。図１３（ａ）〜（ｃ）には、それぞれ、動画の撮影のためのアプリケーションの開始後、ステップＳ１６１の処理の１回目〜３回目の実行に基づくウィンドウ２０１の表示例が示される。
【０１２４】
各図１３（ａ）〜（ｃ）において、ウィンドウ２０１は、それぞれ、表示面１１ｃの上側、下側および略中央に表示されている。このように、ウィンドウ２０１、解除ボタン２０２およびテキスト２０３の表示位置は、ウィンドウ２０１が表示面１１ｃに表示される毎に変化する。
【０１２５】
以上、本変更例の構成によれば、表示面１１ｃに表示されるウィンドウ２０１の表示位置は、通知・警報処理が実行される毎に異なる。つまり、解除ボタン２０２の表示位置が毎回異なる。したがって、解除ボタン２０２が次に表示される位置を予測することは、ユーザにとって容易ではない。このため、盗撮を試みる者が、ウィンドウ２０１を視認することなく見当によって解除ボタン２０２を押下することによって、通知および警報を中止させることはできない。よって、より効果的に盗撮を抑制できる。
【０１２６】
なお、ウィンドウ２０１の表示位置は、所定のルールに従って、または表示位置を指定する座標の配列から構成される所定のテーブルに従って設定される等されてもよい。この際、通知・警報処理が実行される毎にウィンドウ２０１の表示位置がおおむね異なるよう、表示位置が設定されることが好ましい。
【０１２７】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１２８】
上記実施の形態と変更例１〜５は、互いに組み合わせることができる。
【０１２９】
たとえば、変更例３、４の構成が、変更例１の構成に組み合わされてもよい。この場合
、図１４に示す如く、図６に示されるステップＳ１２２の判定処理が、ステップＳ１７１の判定処理に置き換えられる。ステップＳ１７１の判定処理は、傾き角θが閾値θ１であるか、または、カメラモジュール１６より取得される動画から顔が検出された場合にＹＥＳと判定する処理である。
【０１３０】
同様に、変更例３、４の構成が変更例２の構成に組み合わされてもよい。この場合図８に示されるステップＳ１３２、Ｓ１３４の判定処理が、図１４に示されるステップＳ１７１に置き換えられる。
【０１３１】
さらに、変更例５の構成が変更例１〜４の構成に組み合わされてもよい。この場合、各変更例１〜４に係る通知・警報処理を示すフローチャート（図４、図８、図１１）において、ステップＳ１１１の前段に、図１２に示されるステップＳ１６１の処理が挿入される。
【０１３２】
上記変更例１〜４では、所定の判定条件（傾き角θが閾値θ１以下であること、または、カメラモジュール１６より取得される動画から顔が検出されること）に基づいて、通知・警報処理の実行が中止される。このような判定条件は、盗撮を目的としない撮影が行われている蓋然性が高い場合を検出する条件、盗撮の懸念が高くない場合を検出する条件等、各種の判定条件であり得る。また、複数の判定条件を、ＡＮＤ、ＯＲ、ＮＯＴ等の論理演算子によって適宜組み合わせることにより、通知・警報処理の中止の要否を決定するための新たな判定条件が構成され得る。
【０１３３】
上記実施の形態および変更例１〜５では、解除ボタン２０２を押下するよう促す通知（テキスト２０３）が表示面１１ｃになされる。このように、撮影された動画が表示される表示面１１ｃが向けられる方向から視認可能な位置において通知がなされることが望ましい。これによって、録画の最中に、ユーザが通知を見やすくなる。しかしながら、通知は、表示面１１ｃが向けられた方向から視認可能であれば、表示面１１ｃとは異なる位置になされても良い。
【０１３４】
上記実施の形態および変更例１〜５において、解除ボタン２０２は、表示面１１ｃに設けられる。しかしながら、解除ボタン２０２が表示面１１ｃとは異なる位置に設けられる構成が採られてもよい。たとえば、図１５（ａ）、（ｂ）に示す如く、キャビネット１０に、ハードキーを含むキー操作部２０４を備える折りたたみ式の携帯電話機１において、何れかのハードキーを解除ボタン２０２として使用するよう構成されてもよい。
【０１３５】
図１５（ａ）には、本実施の形態に係る図３のステップＳ１１１（図５（ａ）参照）に対応する処理に基づき表示面１１ｃにウィンドウ２０１が表示されたときの画面と解除ボタン２０２が示されている。図１５（ａ）に示す如く、たとえば、決定キーを解除ボタン２０２として用いられることが可能である。
【０１３６】
図１５（ｂ）には、変更例５に係る図１２のステップＳ１６１に対応する処理に基づき、表示面１１ｃにウィンドウ２０１が表示されたときの画面と解除ボタン２０２が示されている。図１５（ｂ）に示す如く、変更例５に係るステップＳ１６１の処理において、キー操作部２０４の何れかのキーをランダムに選択し、選択されたキーを解除ボタン２０２とする構成が採られてもよい。図１５（ｂ）において、「４」キーが解除ボタン２０２に設定されている。なお、この場合、表示面１１ｃには、テキスト２０３を含むウィンドウ２０１が表示される。
【０１３７】
なお、解除ボタン２０２は、解除ボタン２０２を押下するよう促す通知と異なり、カメラモジュール１６より取得される動画が表示される表示面１１ｃが向けられた方向から視
認可能な位置に配される必要はない。たとえば、携帯電話機１（図１（ａ）、（ｂ）参照）の側面部に解除ボタン２０２が配される構成が採られてもよい。
【０１３８】
また、解除ボタン２０２の押下を促す通知は、表示面１１ｃに画像（テキスト２０３）が表示されることに限らず、たとえば解除ボタン２０２に備えられたキーバックライトを点滅させること等により行われてもよい。
【０１３９】
上記実施の形態および変更例１〜５において、通知・警報処理に基づき音声出力部から警報音が出力された後、録画は継続する。しかしながら、警報音が出力された後に、録画が停止される構成が採られてもよい。
【０１４０】
たとえば、上記実施の形態の通知・警報処理（図４）の変更例として、図１６に示すフローチャートの如く、警報音の開始（Ｓ１１７）の後、所定の時間（たとえば数秒〜数十秒程度）の間解除ボタン２０２の押下が検出されなかった場合（Ｓ１８１：ＹＥＳ）、録画が停止（Ｓ１８２）されるよう構成が採られてもよい。録画が停止された後、たとえば、ＣＰＵ１００は、カメラモジュールを停止（Ｓ１０３）し、動画の撮影のための撮影処理（図３）を停止する。ＣＰＵ１００は、録画の停止に伴い、または録画の停止の後の所定のタイミングで、警報音を停止させる。警報音の出力の後に録画が停止されることにより、警報音が無視または隠匿されるような盗撮が懸念される状態における、録画の継続を回避できる。録画を停止させる上記構成は、変更例１〜５へも適用できる。
【０１４１】
上記実施の形態では、スマートフォン型の携帯電話機に本発明が適用されている。しかしながら、これに限らず、ストレート式、折りたたみ式、スライド式等、他のタイプの携帯電話機に本発明が適用されてもよい。
【０１４２】
さらに、本発明は、携帯電話機に限られず、デジタルビデオカメラ、デジタルカメラ、ＰＤＡ（Personal Digital Assistant）、タブレットＰＣ（TabletPC）等のカメラ機能付き機器に適用可能である。
【０１４３】
この他、本発明の実施の形態は、特許請求の範囲に示された技術的思想の範囲内において、適宜、種々の変更が可能である。
【符号の説明】
【０１４４】
１  携帯電話機  （カメラ機能付き機器）
１１ｃ  表示面  （表示部、表示面）
１２  タッチセンサ  （操作入力部）
１５ａ  スピーカ  （音声出力部）
１６  カメラモジュール  （撮影部）
１００  ＣＰＵ  （通知制御部、警報制御部、傾き検出部、録画制御部）
１０１  メモリ  （記憶部、動画記憶部）
１０８  加速度センサ  （傾き検出部）
２０２  解除ボタン  （操作入力部、画像）
Ｖ  撮影方向
θ  傾き角
θ１  閾値
【図１】
0005735404.tif 000002
【図２】
0005735404.tif 000003
【図３】
0005735404.tif 000004
【図４】
0005735404.tif 000005
【図５】
0005735404.tif 000006
【図６】
0005735404.tif 000007
【図７】
0005735404.tif 000008
【図８】
0005735404.tif 000009
【図９】
0005735404.tif 000010
【図１０】
0005735404.tif 000011
【図１１】
0005735404.tif 000012
【図１２】
0005735404.tif 000013
【図１３】
0005735404.tif 000014
【図１４】
0005735404.tif 000015
【図１５】
0005735404.tif 000016
【図１６】
0005735404.tif 000017